(57)【要約】【課題】少ない部品、簡単な構造、良好な作業により短時間で、且つ安価に施工できる縦張り押出成形セメント板の防水構造を得る。【解決手段】押出成形セメント板２１の上下部２３，２５が、同一のパネル取付通し材２７によって躯体２９に取り付けられ、パネル取付通し材２７が、押出成形セメント板下端面を受ける水平辺と、水平辺から直角に折れ曲がり躯体２９に固定される後部立ち上がり辺と、後部立ち上がり辺のから屋内４７側へ折れ曲がる金具取付辺と、水平辺の屋外側端から垂下する水切辺とを有した略Ｚ字形状に形成され、水切辺が中空部５１の開口する押出成形セメント板２１の上端面を切り欠いた切欠部５５に挿入され、横目地５７に、水切辺と当接するバックアップ材５９が挿入され、バックアップ材５９より屋外４９側の横目地空間内にはシーリング材６１を充填した。【選択図】図１
2009084811.tif 000002
【特許請求の範囲】
【請求項１】
押出方向に中空部の成形された押出成形セメント板を、前記押出方向が上下方向となる向きで躯体へ取り付ける縦張り押出成形セメント板の防水構造であって、
前記押出成形セメント板の上下部が、同一のパネル取付通し材によって前記躯体に取り付けられ、
該パネル取付通し材が、押出成形セメント板の下端面を受ける水平辺と、該水平辺から直角に折れ曲がり前記躯体に固定される後部立ち上がり辺と、該後部立ち上がり辺の上端から屋内側へ直角に折れ曲がる金具取付辺と、前記水平辺の屋外側端から直角に垂下する水切辺と、を有した略Ｚ字形状に形成され、
前記水切辺が、前記中空部の開口する押出成形セメント板の上端面を板面と平行に切り欠いた切欠部に挿入され、
上下で隣接した前記押出成形セメント板の間に形成される横目地に、前記水切辺と当接するバックアップ材が挿入され、
該バックアップ材より屋外側の前記横目地空間内にシーリング材が充填されたことを特徴とする押出成形セメント板の防水構造。
【請求項２】
前記金具取付辺が、前記押出成形セメント板の屋内面に螺着されたクリップと前記屋内面とで挟持固定されたことを特徴とする請求項１記載の押出成形セメント板の防水構造。
【請求項３】
前記躯体に固定される水平基端辺と、該水平基端辺の屋外側端に直角に折れ曲がる垂直受け辺と、該垂直受け辺の先端から直角に屋内側へ折れ曲がる金具取付辺と、を有するＣ型金具が前記躯体に設けられ、
該Ｃ型金具の前記金具取付辺が、前記押出成形セメント板の屋内面に螺着された上部クリップと該押出成形セメント板の屋内面とで挟持固定されたことを特徴とする請求項２記載の押出成形セメント板の防水構造。
【請求項４】
前記水切辺と前記バックアップ材との間に、透水材が挟入されたことを特徴とする請求項１〜請求項３のいずれか１項記載の縦張り押出成形セメント板の防水構造。
【発明の詳細な説明】
【技術分野】
【０００１】
本発明は、中空部が上下方向となる向きで躯体へ取り付けられる縦張り押出成形セメント板の防水構造に関し、特に、水切材を廃止して、簡単な構造、容易な施工で横目地を防水構造としながら押出成形セメント板を躯体に支持する改良技術に関する。
【背景技術】
【０００２】
押出成形セメント板や軽量気泡コンクリートを用いた外壁の場合、躯体に下地鋼材を取り付け、下地鋼材に固定したパネル取付金具に押出成形セメント板等（以下、単に「パネル」とも称す）を載置し、パネルに螺着したクリップでパネル屋内面とパネル取付金具とを留付けることで、パネルを躯体に取り付けていた。このようなパネルで外壁などを構成した場合、隣接するパネル同士の間に目地が形成されるため、この目地の奥側にパッキング材（バックアップ材）が挿入され、手前の目地空間内にはさらにシーリング材が充填される。例えば、中空部が上下方向となる縦張りの押出成形セメント板の外壁では、横目地において高い防水性能が要求される場合、この横目地に、パネル取付金具とは別体で形成した専用の水切材を設けることによって、防水性能を向上させていた。
【０００３】
例えば、特許文献１には、中空部を有する縦張りの押出成形セメント板の横目地に、この横目地に沿って延びる樋状部と、樋状部から下方に屈曲されて樋状部で集められた水を下側の押出成形セメント板の中空部に導く外壁板の止水構造が記載されている。
また、特許文献２には、縦張りの下側の押出成形セメント板のリブ面に設けた溝に挿入された止水板(水切材)を、Ｌ型通し部材に支持させて取り付けた押し出し成形セメント板の接合部止水構造が記載されている。
【０００４】
【特許文献１】実用新案登録第３０１８５８７号公報
【特許文献２】特開平６−５７８３０号公報
【発明の開示】
【発明が解決しようとする課題】
【０００５】
しかしながら、特許文献１，２に開示される止水構造は、上下の押出成形セメント板の横目地に浸入した水を下方に導くための専用の水切材を取り付けているものであり、いずれも押出成形セメント板を留付けるパネル取付金具に沿うように別体で水切材が取り付けられていた。このため、以下に述べる種々の問題があった。すなわち、部品点数が増え、部品管理の手間、部品コスト、及び施工コストが増大した。また、防水構造用の水切材と、パネル取付金具が別部材であるため、作業性が悪く、確実かつ短時間での施工が困難であった。また、別体の水切材とパネル取付金具とを重ねて使用するため、横目地の間隔を狭めたい構造の場合や、軽量化の要求される構造の場合においては不利となった。
本発明は上記状況に鑑みてなされたもので、少ない部品、簡単な構造、良好な作業により短時間で、且つ安価に施工でき、しかも、目地間隙を拡げずに軽量化が可能となる縦張り押出成形セメント板の防水構造を提供することにある。
【課題を解決するための手段】
【０００６】
上記目的を達成するための本発明に係る請求項１記載の縦張り押出成形セメント板の防水構造は、押出方向に中空部の成形された押出成形セメント板を、前記押出方向が上下方向となる向きで躯体へ取り付ける縦張り押出成形セメント板の防水構造であって、
前記押出成形セメント板の上下部が、同一のパネル取付通し材によって前記躯体に取り付けられ、
該パネル取付通し材が、押出成形セメント板の下端面を受ける水平辺と、該水平辺から直角に折れ曲がり前記躯体に固定される後部立ち上がり辺と、該後部立ち上がり辺の上端から屋内側へ直角に折れ曲がる金具取付辺と、前記水平辺の屋外側端から直角に垂下する水切辺と、を有した略Ｚ字形状に形成され、
前記水切辺が、前記中空部の開口する押出成形セメント板の上端面を板面と平行に切り欠いた切欠部に挿入され、
上下で隣接した前記押出成形セメント板の間に形成される横目地に、前記水切辺と当接するバックアップ材が挿入され、
該バックアップ材より屋外側の前記横目地空間内にシーリング材が充填されたことを特徴とする。
【０００７】
この縦張り押出成形セメント板の防水構造では、パネル取付通し材の後部立ち上がり辺が躯体に固定され、且つ水切辺が切欠部に挿入されることで、パネル取付通し材の単一部材によって、パネル取り付けが行えるとともに、後部立ち上がり辺にて屋内側への水の浸入を阻止しながら、水切辺にて中空部への排水が可能となり、パネル取付金具のみを用いた防水構造での取り付けが可能となる。つまり、パネル取付金具と水切材とが一体化した下地構造により防水構造が得られる。そして、押出成形セメント板の上下部が同一のパネル取付通し材を用いて取り付け可能となる。また、パネル上部に形成した切欠部をパネル取付通し材の水切辺に挿入して支持が可能となる。さらに、別体の水切材を省略する分、横目地の間隔を狭めることが可能となる。また、水切辺が形成されることによりパネル取付通し材の強度が高まる。
【０００８】
請求項２記載の縦張り押出成形セメント板の防水構造は、前記金具取付辺が、前記押出成形セメント板の屋内面に螺着されたクリップと前記屋内面とで挟持固定されたことを特徴とする。
【０００９】
この縦張り押出成形セメント板の防水構造では、水切辺に切欠部を挿入支持し、押出成形セメント板の下部をパネル取付通し材の水平辺に載置し、屋外側からパネル下部を屋内側へ押し付けることで、押出成形セメント板が仮支持でき、この状態でクリップが螺着され、パネル取付通し材の金具取付辺がクリップとパネル屋内面とに挟持されて、押出成形セメント板の上下部が共に脱落不能となる。
【００１０】
請求項３記載の縦張り押出成形セメント板の防水構造は、前記躯体に固定される水平基端辺と、該水平基端辺の屋外側端に直角に折れ曲がる垂直受け辺と、該垂直受け辺の先端から直角に屋内側へ折れ曲がる金具取付辺と、を有するＣ型金具が前記躯体に設けられ、
該Ｃ型金具の前記金具取付辺が、前記押出成形セメント板の屋内面に螺着された上部クリップと該押出成形セメント板の屋内面とで挟持固定されたことを特徴とする。
【００１１】
この縦張り押出成形セメント板の防水構造では、水切辺に切欠部を挿入することで、躯体から離反規制された押出成形セメント板の上部が、さらに、躯体に固定されたＣ型金具の垂直受け辺に当接され、その金具取付辺が押出成形セメント板の屋内面と上部クリップとに挟持され、押出成形セメント板の上部固定が水切辺と切欠部との係合に加え、上部クリップとＣ型金具とによっても二重に行われる。
【００１２】
請求項４記載の縦張り押出成形セメント板の防水構造は、前記水切辺と前記バックアップ材との間に、透水材が挟入されたことを特徴とする。
【００１３】
この縦張り押出成形セメント板の防水構造では、バックアップ材及びシーリング材が、透水材によって所定寸法で嵩上げされ、水平辺からの水が透水材を透過して下側パネルの中空部へ流下される。
【発明の効果】
【００１４】
本発明に係る縦張り押出成形セメント板の防水構造によれば、押出成形セメント板の上下部を同一のパネル取付通し材で躯体に取り付け、パネル取付通し材が、押出成形セメント板の下端面を受ける水平辺と、躯体に固定される後部立ち上がり辺と、屋内側へ折れ曲がる金具取付辺と、水平辺から直角に垂下する水切辺とを有し、水切辺を押出成形セメント板上端面の切欠部に挿入し、横目地にバックアップ材を挿入するとともに、バックアップ材より屋外側の横目地空間内にシーリング材を充填したので、以下の効果を得ることができる。すなわち、パネル取付金具と水切材の双方を用いる必要がなく、パネル取付金具であるパネル取付通し材のみを用いて、押出成形セメント板を防水構造で躯体へ取り付けできる。また、押出成形セメント板の上下部を同一のパネル取付通し材を用いて取り付けできるので、部品点数を少なくし、部品管理の手間、部品コスト、及び施工コストを低減できる。また、施工時には、パネル上部のクリップで取り付けるまでの間、パネル上部に形成した切欠部をパネル取付通し材の水切辺に挿入して支持できるので、水平辺に載置したパネル下部のみにクリップを使用し、押出成形セメント板を簡単に脱落規制して躯体へ支持でき、良好な作業性で、確実かつ短時間で押出成形セメント板を取り付けできる。また、パネル取付通し材が水切材の機能を有するので、別体の水切材を省略する分、横目地の間隔を狭めることができる。また、水切辺が形成されることによりパネル取付通し材の強度が高まり、水切辺を有しない従来のパネル取付金具に比べ、パネル取付通し材を薄厚、軽量化できる。
【発明を実施するための最良の形態】
【００１５】
以下、本発明に係る縦張り押出成形セメント板の防水構造の好適な実施の形態を図面を参照して説明する。
図１は本発明に係る防水構造の縦断面図、図２は本発明に係る防水構造の横断面図である。
本実施の形態による縦張り押出成形セメント板の防水構造は、押出成形セメント板が縦張りされることで形成される横目地に適用する場合を例に説明する。なお、縦張りとは、中空部が延在する押出成形方向を上下方向として押出成形セメント板が取り付けられる取付形態を称す。
【００１６】
本実施の形態による防水構造は、押出成形セメント板２１の上下部２３，２５が、同一のパネル取付通し材２７によって躯体２９に取り付けられる。すなわち、下側パネル２１Ａの上部２３と、上側パネル２１Ｂの下部２５が、パネル取付通し材２７によって取り付けられている。躯体２９は、例えばＨ型鋼材からなる。躯体２９の上辺２９ａには床パネル３１が載置される。躯体２９の屋内側は耐火被覆３３によって覆われている。躯体２９の上辺２９ａには下地鋼材であるＬ型鋼材３５が固定される。パネル取付通し材２７は、このＬ型鋼材３５を介して躯体２９に取り付けられている。
【００１７】
図３はパネル取付通し材の断面視を（ａ）、Ｃ型金具の断面視を（ｂ）に示した金具断面図、図４は図１に示した防水構造の要部拡大縦断面図である。
パネル取付通し材２７は、図３（ａ）に示すように、水平辺３７と、後部立ち上がり辺３９と、金具取付辺４１と、水切辺４３とを有した略Ｚ字形状に形成される。水平辺３７は、押出成形セメント板２１の下端面４５を受ける。後部立ち上がり辺３９は、水平辺３７から直角に折れ曲がり、躯体２９側のＬ型鋼材３５に固定される。金具取付辺４１は、後部立ち上がり辺３９の上端から屋内４７側へ直角に折れ曲がる。水切辺４３は、水平辺３７の屋外４９側の端から直角に垂下する。
【００１８】
水切辺４３は、中空部５１の開口する押出成形セメント板２１の上端面５３を板面と平行に切り欠いた切欠部５５に挿入される。上下で隣接した上側パネル２１Ｂと下側パネル２１Ａの間に形成される横目地５７には、水切辺４３と当接する透水材５８を配置した後、バックアップ材５９が挿入される。透水材５８としては、例えば不織布を好適に用いることができる。バックアップ材５９より屋外４９側の横目地空間内にはさらにシーリング材６１が充填される。水切辺４３とバックアップ材５９との間に、透水材５８が挟入されることで、バックアップ材５９及びシーリング材６１が、透水材５８によって所定寸法で嵩上げされ、水平辺３７からの水が透水材５８を透過して下側パネル２１Ａの中空部５１へ流下することとなる。
【００１９】
なお、水平辺３７からの排水性をより良好とするため、バックアップ材５９は、透水性を有すること、或いは多数の切欠部等の透水構造を有していることが好ましい。
【００２０】
パネル取付通し材２７の金具取付辺４１は、押出成形セメント板２１の屋内面６３に、ボルト６５によって螺着されたクリップ６７と、屋内面６３とで挟持固定される。なお、図４中、６９はボルト６５に螺合するプレートナット、７１は上側パネル２１Ｂの重量を受ける硬質パッキン、７３はロックウール養生材、７５はモルタル充填材、７７は耐火性能を向上させるためのロックウール充填材を示す。また、図２中、７９は縦ガスケットを示す。
【００２１】
図１に示すように、押出成形セメント板２１の上部２３は、Ｃ型金具８１によっても躯体２９に取り付けられている。Ｃ型金具８１は、躯体２９の下辺２９ｂに固定される。図３（ｂ）に示すように、Ｃ型金具８１は、躯体２９に固定される水平基端辺８３と、水平基端辺８３の屋外側端に直角に折れ曲がる垂直受け辺８５と、垂直受け辺８５の先端から直角に屋内４７側へ折れ曲がる金具取付辺８７とを有する。Ｃ型金具８１は、金具取付辺８７が、押出成形セメント板２１の屋内面６３に螺着された上部クリップ６７と屋内面６３とで挟持固定され、押出成形セメント板２１の上部２３を躯体２９側へ留付ける。なお、上部クリップ６７は、ボルト６５と共に、躯体２９に被着された耐火被覆３３によって覆われることとなる。
【００２２】
水切辺４３に切欠部５５を挿入することで、躯体２９から離反規制された押出成形セメント板２１の上部２３は、さらに、躯体２９に固定されたＣ型金具８１の垂直受け辺８５に当接され、その金具取付辺８７が屋内面６３と上部クリップ６７とに挟持される。つまり、押出成形セメント板２１の上部２３は、水切辺４３と切欠部５５との係合に加え、上部クリップ６７とＣ型金具８１とによって二重に固定される。
【００２３】
次に、上記のように構成された防水構造の作用を説明する。
本防水構造によって、押出成形セメント板２１を縦張りするには、躯体２９に、予めＬ型鋼材３５、Ｃ型金具８１が所定の間隔に溶接固定される。パネル取付通し材２７は、このＬ型鋼材３５に対して溶接される。押出成形セメント板２１は、上方に固定されたパネル取付通し材２７の水切辺４３に、上部２３の切欠部５５を挿入した後、下部２５をパネル取付通し材２７の水平辺３７に載置する。
【００２４】
押出成形セメント板２１は、屋外４９側から下部２５を屋内４７側へ押し付けることで仮支持でき、この状態で押出成形セメント板２１の屋内面６３にクリップ６７が螺着されることにより、パネル取付通し材２７の金具取付辺４１がクリップ６７とパネル屋内面６３とに挟持されて、押出成形セメント板２１の上下部が共に脱落不能となる。
【００２５】
本実施の形態では、さらに、押出成形セメント板２１の上部２３に上部クリップ６７が螺着され、Ｃ型金具８１の金具取付辺８７が上部クリップ６７とパネル屋内面６３とに挟持されて、上部２３がＣ型金具８１を介して躯体２９に固定され、さらに高い取り付け信頼性が得られるようになっている。
【００２６】
この防水構造において、シーリング材６１の劣化などにより、横目地５７から浸入した水は、後部立ち上がり辺３９によって屋内４７側への浸入が阻止され、水切辺４３によって下側パネル２１Ａの中空部５１に導かれて、下方に排水される。下方に排水された水は、図示しない最下段のパネル下端に設けられた水抜きパイプによって外部に排出されることとなる。
【００２７】
本防水構造では、パネル取付通し材２７の後部立ち上がり辺３９が躯体２９に固定され、且つ水切辺４３が切欠部５５に挿入されることで、パネル取付通し材２７の単一部材によって、パネル取り付けが行えるとともに、後部立ち上がり辺３９にて屋内４７側への水の浸入を阻止しながら、水切辺４３にて中空部５１への排水が可能となる。つまり、パネル取付通し材２７と水切材とが一体化した下地構造により防水構造が得られる。そして、押出成形セメント板２１の上下部２３，２５が同一のパネル取付通し材２７を用いて取り付け可能となる。また、パネル上部２３に形成した切欠部５５をパネル取付通し材２７の水切辺４３に挿入して支持が可能となる。さらに、別体の水切辺４３を省略する分、横目地５７の間隔を狭めることが可能となる。また、水切辺４３が形成されることによりパネル取付通し材２７の強度を高めることも可能となる。
【００２８】
したがって、上記の防水構造によれば、押出成形セメント板２１の上下部２３，２５を同一のパネル取付通し材２７で躯体２９に取り付け、パネル取付通し材２７が、押出成形セメント板２１の下端面４５を受ける水平辺３７と、躯体２９に固定される後部立ち上がり辺３９と、屋内４７側へ折れ曲がる金具取付辺４１と、水平辺３７から直角に垂下する水切辺４３とを有し、水切辺４３を押出成形セメント板２１の上端面５３に形成した切欠部５５に挿入し、横目地５７にバックアップ材５９を挿入するとともに、バックアップ材５９より屋外４９側の横目地空間内にシーリング材６１を充填したので、以下の効果を得ることができる。
【００２９】
従来構造のように、パネル取付金具と水切材の双方を用いる必要がなく、パネル取付金具であるパネル取付通し材２７のみを用いて、押出成形セメント板２１を防水構造で躯体２９へ取り付けできる。また、押出成形セメント板２１の上下部２３，２５を同一のパネル取付通し材２７を用いて取り付けできるので、部品点数を少なくし、部品管理の手間、部品コスト、及び施工コストを低減できる。
【００３０】
パネル上部２３に形成した切欠部５５をパネル取付通し材２７の水切辺４３に挿入して支持できるので、施工時には、パネル上部のクリップで取り付けるまでの間、水平辺３７に載置したパネル下部２５のみにクリップ６７を使用し、押出成形セメント板２１を簡単に脱落規制して躯体２９へ支持でき、良好な作業性で、確実かつ短時間で押出成形セメント板２１を取り付けできる。パネル取付通し材２７が水切材の機能を有する（パネル取付通し材２７が水切材を兼用する）ので、別体の水切材を省略する分、横目地５７の間隔を狭めることができる。水切辺４３が形成されることによりパネル取付通し材２７の強度が高まり、水切辺４３を有しない従来のパネル取付金具に比べ、パネル取付通し材２７を薄厚、軽量化できる。
【図面の簡単な説明】
【００３１】
【図１】本発明に係る防水構造の縦断面図である。
【図２】本発明に係る防水構造の横断面図である。
【図３】パネル取付通し材の断面視を（ａ）、Ｃ型金具の断面視を（ｂ）に示した金具断面図である。
【図４】図１に示した防水構造の要部拡大縦断面図である。
【符号の説明】
【００３２】
２１…押出成形セメント板、２３，２５…押出成形セメント板の上下部、２７…パネル取付通し材、２９…躯体、３７…水平辺、３９…後部立ち上がり辺、４１…金具取付辺、４３…水切辺、４５…押出成形セメント板の下端面、４７…屋内、５１…中空部、５３…押出成形セメント板の上端面、５５…切欠部、５７…横目地、５８…透水材、５９…バックアップ材、６１…シーリング材、６３…屋内面、６７…クリップ、８１…Ｃ型金具、８３…水平基端辺、８５…垂直受け辺、８７…金具取付辺
【図１】
2009084811.tif 000003
【図２】
2009084811.tif 000004
【図３】
2009084811.tif 000005
【図４】
2009084811.tif 000006